(57)【特許請求の範囲】
【請求項１】
柱体と、この柱体の下端部に設けられた鉄骨梁などへの固定用クランプと、前記柱体の上端部に設けられた親綱係止または挿通用金具とを備えた親綱用支柱において、前記親綱係止または挿通用金具を、柱体の略真上に位置する第一位置と、柱体の真上から外方へ突出した第二位置とに切り換える位置切り換え手段が設けられた親綱用支柱であって、前記位置切り換え手段は、柱体の上端部に起立姿勢と外方への倒伏姿勢との間でのみ起伏揺動自在に軸支され且つ外端に前記親綱係止または挿通用金具が取り付けられた可動アームと、この可動アームを起立姿勢と倒伏姿勢とに択一的に係止する係止具とから成る、親綱用支柱。
【請求項２】
前記係止具は、可動アーム内に配置され且つスプリングにより外向きに付勢されたピンを備え、前記可動アームには、前記ピンが出退自在に嵌合支持されるピン支持用貫通孔が設けられ、柱体の上端部には、前記可動アームが起立姿勢と倒伏姿勢とにあるとき、スプリングの付勢力で可動アームから突出する前記ピンが嵌合するピン係止用貫通孔がそれぞれ設けられている、請求項１に記載の親綱用支柱。
【請求項３】
前記スプリングは、可動アーム内に遊嵌されたＵ字形の板スプリングであり、前記ピンは、前記Ｕ字形の板スプリングの両端に外向きに取り付けられ、可動アーム側の前記ピン支持用貫通孔及び柱体側の前記ピン係止用貫通孔がそれぞれ左右一対設けられている、請求項２に記載の親綱用支柱。
【発明の詳細な説明】
【０００１】
【発明の属する技術分野】
本発明は、建設中の建造物における鉄骨からの作業者の落下防止のために、鉄骨梁に沿って手摺り状に親綱を張設する際に利用される親綱用支柱に関するものである。
【０００２】
【従来の技術】
この種の親綱用支柱は、柱体と、この柱体の下端部に設けられた鉄骨梁などへの固定用クランプと、前記柱体の上端部に設けられた親綱係止または挿通用金具とから構成されるものであるが、鉄骨梁が独立して存在する状況では、当該鉄骨梁上を歩行する作業者の邪魔にならないように、親綱は鉄骨梁の上方位置よりも外方へ張り出した位置に張設する必要があり、鉄骨梁で囲まれた領域内にスラブ構築用板材など、作業者が歩行し得る床となる部材が架設された状況では、親綱は鉄骨梁の真上にできる限り近い位置に張設して安全性を高めなければならない。しかして、従来のこの種の親綱用支柱は、前者の、親綱を鉄骨梁の上方位置よりも外方へ張り出した位置に張設するための親綱用支柱と、後者の、親綱を鉄骨梁の真上にできる限り近い位置に張設するための親綱用支柱とに分けられていた。
【０００３】
【発明が解決しようとする課題】
上記のような従来の構成では、二種類の親綱用支柱を状況に応じて使い分ける必要があり、その取り換えに手間がかかるだけでなく、二種類の親綱用支柱を準備しておかなければならないので経済的負担も大きかった。
【０００４】
【課題を解決するための手段】
本発明は上記のような従来の問題点を解消し得る親綱用支柱を提供することを目的とするものであって、その手段を後述する実施形態の参照符号を付して示すと、柱体１と、この柱体１の下端部に設けられた鉄骨梁などへの固定用クランプ２と、前記柱体１の上端部に設けられた親綱係止または挿通用金具７とを備えた親綱用支柱において、前記親綱係止または挿通用金具７を、柱体１の略真上に位置する第一位置と、柱体１の真上から外方へ突出した第二位置とに切り換える位置切り換え手段８が設けられた親綱用支柱であって、前記位置切り換え手段８は、柱体１の上端部に起立姿勢Ｖと外方への倒伏姿勢Ｈとの間でのみ起伏揺動自在に軸支され且つ外端に前記親綱係止または挿通用金具７が取り付けられた可動アーム１２と、この可動アーム１２を起立姿勢Ｖと倒伏姿勢Ｈとに択一的に係止する係止具１３とから成る構成となっている。
【０００６】
上記の本発明の親綱用支柱を実施するに際し、前記係止具１３は、可動アーム１２内に配置され且つスプリング１５により外向きに付勢されたピン１６を備え、前記可動アーム１２には、前記ピン１６が出退自在に嵌合支持されるピン支持用貫通孔１７を設けるとともに、柱体１の上端部には、前記可動アーム１２が起立姿勢Ｖと倒伏姿勢Ｈとにあるとき、スプリング１５の付勢力で可動アーム１２から突出する前記ピン１６が嵌合するピン係止用貫通孔１８，１９をそれぞれ設けることができる。この場合、前記スプリング１５を可動アーム１２内に遊嵌されたＵ字形の板スプリングとし、前記ピン１６はこの板スプリング１５の両端に外向きに取り付け、可動アーム１２側のピン支持用貫通孔１７、及び柱体１側の前記ピン係止用貫通孔１８，１９をそれぞれ左右一対配設することができる。
【０００７】
【発明の実施の形態】
以下に本発明の好適実施形態を添付図に基づいて説明すると、図１及び図２において、１は角パイプ材から構成された柱体であり、２は柱体１の下端部に設けられた鉄骨梁などへの固定用クランプである。このクランプ２は、柱体１の下端部の左右両側に固着されて上下両端部が前方に突出する左右一対のコの字形側板３と、この左右一対のコの字形側板３の上側突出部と柱体１とで囲まれた領域内に固着架設された横板４と、この横板４を柱体１と平行に上下方向に螺合貫通する左右一対のクランプ用ねじ５とから成り、当該クランプ用ねじ５と前記左右一対のコの字形側板３の下側突出部の上縁３ａとの間で鉄骨梁のエッジ部を挟持固定し得るように構成したものである。６は、柱体１の下端を閉塞するように左右一対のコの字形側板３間に斜めに固着架設された補強板兼用の下側カバープレートである。
【０００８】
７は親綱係止または挿通用金具であって、位置決め手段８を介して柱体１の上端部に取り付けられている。柱体１の上端には上側カバープレート９が固着され、当該上側カバープレート９上には、門形の軸受部材１０が、その下端から左右両側に張り出す取り付け部においてボルト１１により取り付けられている。前記位置決め手段８は、リップ付き溝形鋼から構成され且つ先端に前記金具７が固着された可動アーム１２と係止具１３とから構成され、可動アーム１２は、前記門形の軸受部材１０の両側板部１０ａ，１０ｂ間に水平支軸１４により支承され、図１Ａに示すように前記門形の軸受部材１０の天板部１０ｃの後端１０ｄに当接する起立姿勢Ｖと、図１Ｂに示すように前記門形の軸受部材１０の天板部１０ｃの下側に当接する倒伏姿勢Ｈとの間でのみ起伏揺動自在に構成されている。
【０００９】
前記係止具１３は、図３〜図５に示すように、可動アーム１２内に遊嵌したＵ字形の板スプリング１５と、この板スプリング１４の両端に外向きに取り付けられた一対のピン１６とから成り、前記可動アーム１２には、前記一対のピン１６が出退自在に嵌合支持される一対のピン支持用貫通孔１７が設けられ、軸受部材１０の両側板部１０ａ，１０ｂには、可動アーム１２が起立姿勢Ｖにあるときに前記板スプリング１５の付勢力で可動アーム１２から突出する一対のピン１６が嵌合する一対のピン係止用貫通孔１８と、可動アーム１２が倒伏姿勢Ｈにあるときに前記板スプリング１５の付勢力で可動アーム１２から突出する一対のピン１６が嵌合する一対のピン係止用貫通孔１９とが設けられている。
【００１０】
親綱係止または挿通用金具７は、１本の棒鋼を横長の長円形に曲げて構成された、親綱の端部を係止したり親綱を挿通させたりするためのリング部７ａと、前記棒鋼の互いに重なる両端部を下向きに折曲して構成され且つ前記可動アーム１２の左右両側面に溶接などにより固着された取り付け用脚部７ｂ，７ｃとから成るものであるが、この構成に限定されないことは勿論である。なお、図１及び図２において、２０は、柱体１の前面に固着突設された把手である。
【００１１】
上記構成の親綱用支柱は、それぞれのクランプ２で鉄骨梁の外側エッジ部を挟持固定することにより、親綱張設区間の両端及び中間適当位置に柱体１が垂直になるように立設される。そして、親綱張設区間の中間に位置する親綱用支柱の上端の金具７（リング部７ａ）に親綱を挿通させた状態で、親綱張設区間の両端に位置する親綱用支柱の上端の金具７（リング部７ａ）に親綱の端部を係止させることにより、親綱張設区間の両端に位置する親綱用支柱間に親綱が適度な張力で張設される。作業者は、自分の安全帯の遊端のカラビナを前記親綱に係合させて、自身の落下防止を図ることができる。
【００１２】
上記のように親綱用支柱を利用するのであるが、鉄骨梁の内側にスラブ構築用板材などが架設されておらず、鉄骨梁が独立して存在する状況では、各親綱用支柱の金具７を、可動アーム１２を図１Ｂに示す倒伏姿勢Ｈに切り換えて、鉄骨梁の真上よりも外方へ張り出した第二位置に配置し、この金具７を利用して張設される親綱を鉄骨梁の真上位置より外方にずらしておく。そして、鉄骨梁で囲まれた領域内にスラブ構築用板材など、作業者が歩行し得る床となる部材が架設された状況になったときは、各親綱用支柱の金具７を、可動アーム１２を図１Ａに示す起立姿勢Ｖに切り換えて、鉄骨梁の真上の第一位置に配置し、この金具７を利用して張設される親綱を鉄骨梁の略真上に位置させることができる。
【００１３】
各親綱用支柱の金具７（可動アーム１２）の第一位置と第二位置との間での位置切り換えは、例えば片手の親指と人指し指または中指とで係止具１３の一対のピン１６を、軸受部材１０の左右両側板部１０ａ，１０ｂのピン係止用貫通孔１８またはピン係止用貫通孔１９の外側から板スプリング１５の付勢力に抗して内側に押し込み、これらピン係止用貫通孔１８またはピン係止用貫通孔１９から内側に離脱させた状態（可動アーム１２側のピン支持用貫通孔１７には嵌合している状態）で、可動アーム１５を水平支軸１４の周りに回転させる。この結果、可動アーム１５が、起立姿勢Ｖから軸受部材１０の天板部１０ｃの下側面に当接する倒伏姿勢Ｈに達したとき、または倒伏姿勢Ｈから軸受部材１０の天板部１０ｃの後端１０ｄに当接する起立姿勢Ｖに達したとき、一対のピン１６が板スプリング１５の付勢力で軸受部材１０側のピン係止用貫通孔１９またはピン係止用貫通孔１８に自動的に嵌合し、このピン１６を介して可動アーム１２と軸受部材１０とが結合され、可動アーム１２が倒伏姿勢Ｈ（金具７が第二位置）または起立姿勢Ｖ（金具７が第一位置）に固定される。
【００１４】
なお、親綱係止または挿通用金具７を、柱体１の略真上に位置する第一位置と、柱体１の真上から外方へ突出した第二位置とに切り換える位置切り換え手段８や、この位置切り換え手段８を可動アーム１２と係止具１３とで構成する場合の当該係止具１３の構成は、上記実施形態のものに限定されない。さらに、親綱係止または挿通用金具７も、上記実施形態のものに限定されない。
【００１５】
【発明の効果】
以上のように本発明の親綱用支柱によれば、鉄骨梁が独立して存在する状況では、位置切り換え手段により親綱係止または挿通用金具を柱体の真上から外方へ突出した第二位置に切り換えて、当該金具を利用して張設される親綱を、前記鉄骨梁上を歩行する作業者の邪魔にならないように鉄骨梁の上方位置よりも外方へ張り出した位置に張設し、逆に、鉄骨梁で囲まれた領域内にスラブ構築用板材など、作業者が歩行し得る床となる部材が架設された状況では、位置切り換え手段により親綱係止または挿通用金具を柱体の略真上に位置する第二位置に切り換えて、当該金具を利用して張設される親綱を鉄骨梁の真上にできる限り近い位置に張設して安全性を高めることができる。
【００１６】
即ち、本発明によれば、従来のように、親綱を鉄骨梁の上方位置よりも外方へ張り出した位置に張設するための親綱用支柱と、親綱を鉄骨梁の真上にできる限り近い位置に張設するための親綱用支柱の二種類を準備しておく必要がなくなり、一種類の親綱用支柱を二つの状況に対応するように切り換えて使用することができるので、親綱用支柱の取り換え手間がなくなるだけでなく、経済的負担も大幅に軽減できる。しかも本発明の構成によれば、親綱係止または挿通用金具の位置切り換え手段を簡単な構成とすることができるのである。
【００１７】
なお、請求項２に記載の構成によれば、親綱係止または挿通用金具の位置切り換え時に必要な操作が簡単になり、さらに、請求項３に記載の構成によれば、親綱係止または挿通用金具の位置決めを左右一対のピンで安定的に行うことができる。
【図面の簡単な説明】
【図１】  Ａ図は、親綱係止または挿通用金具が第一位置（可動アームが起立姿勢）にあるときの一部縦断側面図であり、Ｂ図は、親綱係止または挿通用金具が第二位置（可動アームが倒伏姿勢）にあるときの要部の一部縦断側面図である。
【図２】  図１Ａの正面図である。
【図３】  図１Ａの要部の拡大縦断正面図である。
【図４】  図３の横断平面図である。
【図５】  図３の縦断側面図である。
【符号の説明】
１      柱体
２      鉄骨梁などへの固定用クランプ
７      親綱係止または挿通用金具
８      位置切り換え手段
１２    可動アーム
１３    係止具
１４    水平支軸
１５    Ｕ字形の板スプリング
１６    ピン
１７    可動アーム側のピン支持用貫通孔
１８，１９    柱体側のピン係止用貫通孔
【図１】
0003709968.tif 000002
【図２】
0003709968.tif 000003
【図３】
0003709968.tif 000004
【図４】
0003709968.tif 000005
【図５】
0003709968.tif 000006